(57)【特許請求の範囲】
【請求項１】
遊技具や装飾部材等の構成部をネジによって着脱可能に装着した遊技機であって、
前記構成部の表面に貼着され、装飾画が描かれた装飾シールに、前記ネジの位置を特定する矢印、丸印、星印、花印等の図形を表記し、ドライバー等の先端で前記図形の表記に従って前記装飾シールを突き破ることにより前記ネジを緩めて前記構成部を取り外し可能としたことを特徴とする遊技機。
【発明の詳細な説明】
【０００１】
【発明の属する技術分野】
本発明は、パチンコ機やスロットマシーン等、遊技具や装飾部材等の構成部をネジで着脱可能に止着した遊技機に関する。
【０００２】
【従来の技術】
パチンコ機等の遊技機においては、前面に形成される遊技領域に、複数図柄を表示する表示装置や遊技球の入賞装置等の遊技具の他、それらの遊技具を装飾するための装飾部材が配設されており、又、遊技領域を囲むように配置される前面枠にも、パチンコ機を装飾するための装飾部材が設けられている。これら遊技具や装飾部材といった構成部は、ネジ等の取付具や接着剤によって止着されており、パチンコ機が不要になった際には、再利用や廃棄物の分別のために取り外されることがある。
【０００３】
【発明が解決しようとする課題】
しかし、パチンコ機は、メーカーや機種毎に遊技具等の形態やその固定手段が異なっており、特にネジは、見栄えの面から外部に現われないように構成部の表面に貼着されるシールや装飾板等の装飾体で隠されていることが多い。よって、解体作業者は、ネジの位置が不明であったり、ネジがあってもパチンコ機側と分離できる取付用のネジか否かが不明であったりするため、遊技具や装飾部材の取り外しが非常に困難となり、解体作業に時間がかかるものとなっていた。
【０００４】
そこで、請求項１に記載の発明は、特にネジで止着される遊技具や装飾部材等の構成部におけるネジの位置が容易に識別でき構成部の取り外しが簡単に行える遊技機を提供することを目的としたものである。
【０００５】
【課題を解決するための手段】
上記目的を達成するために、請求項１に記載の発明は、前記構成部の表面に貼着され、装飾画が描かれた装飾シールに、前記ネジの位置を特定する矢印、丸印、星印、花印等の図形を表記し、ドライバー等の先端で前記図形の表記に従って前記装飾シールを突き破ることにより前記ネジを緩めて前記構成部を取り外し可能としたことを特徴とするものである。
【０００６】
【発明の実施の形態】
以下、本発明の実施の形態を図面に基づいて説明する。
図１は、遊技機の一例であるパチンコ機１の正面図で、パチンコ機１は、表側の中央より上方に、遊技領域２が形成され、その遊技領域２の下方には、遊技球を貯留する上皿３と下皿４とが上下に装備されて、下皿４の側方には遊技球の発射ハンドル５が備えられている。又、遊技領域２の周りには、前面枠６が設けられ、その前面枠６には、遊技領域２を囲むように前面枠装飾部材７，７・・が配置されている。
更に、遊技領域２には、複数図柄を表示可能な表示装置８や、遊技球の入賞装置９，９・・等の遊技具と、これらを装飾する装飾部材１０，１０・・が設けられている。例えば、図２は表示装置８における装飾部材１０の分解図で、装飾部材１０は、奥側から、透明な保護板１１と、表示装置８の画面を囲むように形成される後方枠部材１２と前方枠部材１３と、前方枠部材１３の上方前面に配置される上部装飾部材１４と、前方枠部材１３の下方前面に配置される一対の下部装飾部材１５，１５とから構成される。
【０００７】
この上部装飾部材１４は、前方枠部材１３の裏面からの図示しないネジによって前方枠部材１３に螺着されるが、下部装飾部材１５，１５は、前方枠部材１３に突設された取付タブ１６，１６に、前面からネジ１７，１７によって螺着される。よって、下部装飾部材１５の前面には、ネジ１７，１７の頭部が見えないように、装飾画が描かれた合成樹脂製の装飾シール１８，１８が接着剤で貼着されているが、ここでは、装飾シール１８，１８にネジ１７，１７の頭部の位置を示す小さな矢印１９，１９が表記されており、これによって、図３にも示す如く、ネジ１７，１７の位置が外部から確認できるようになっている。
一方、図４は前面枠６の説明図で、前面枠６に配置される前面枠装飾部材７も、前面枠６に突設した取付タブ２０，２０にネジ２１，２１によって螺着され、その前面に、ネジ２１，２１の頭部を隠す装飾シール２２が貼着されているが、この装飾シール２２にも、ネジ２１，２１の頭部の位置を夫々示す三角印２３，２３が表記されており、これによってネジ２１，２１の位置が外部から確認できるようになっている。
【０００８】
以上の如く構成されたパチンコ機１においては、装飾シール１８，２２にネジ位置を表記したことで、当該構成部が当該位置でネジ止めされていることが容易に識別できるため、解体等の際に前もってその旨を解体業者等に知らせておけば、下部装飾部材１５，１５や前面枠装飾部材７を取り外す必要が生じた場合には、そのままドライバー等の先端で装飾シール１８，２２を突き破れば、ネジ１７及び２１を緩めて、これらの装飾部材７，１５を簡単に取り外すことが可能となる。よって、解体等に伴う取り外し作業が短時間で効率良く行え、リサイクルや廃棄に伴う分別等に迅速に対処できる。
【０００９】
一方、上記形態では、前面枠装飾部材７や下部装飾部材１５に合成樹脂製の装飾シール１８，２２を貼着したもので説明しているが、装飾板を用いた場合も本発明は同様に適用できる。即ち、図５は、上記と同様にネジ２１，２１と取付タブ２０，２０とによって螺着される前面枠装飾部材７の前面に、ネジ隠しのための装飾板２４を取り付けたもので、取付構造は図６にも示す如く、装飾板２４の裏面に弾性爪２５，２５を突設し、この弾性爪２５，２５を、前面枠装飾部材７の前面に設けた係止孔２６，２６に差し込むことで、装着を行うものである。
そして、この装飾板２４の前面にも、ネジ２１，２１の頭部に当る位置に、三角印２７，２７が表記されているため、当該構成部が当該位置でネジ止めされていることが容易に識別できる。よって、解体等の際に前面枠装飾部材７を取り外す必要が生じた場合には、装飾板２４を取り外せば、露出したネジ２１，２１を緩めて、前面枠装飾部材７を簡単に取り外すことが可能となり、上記形態と同じ効果が期待できる。
【００１０】
尚、ネジ位置の表記は、矢印以外に、識別できるものであれば、丸印、星印、花印等の図形によって行っても良いが、装飾シール１８，２２や装飾板２４に描かれる装飾画の雰囲気を損なわないような表記が望ましい。
【００１１】
そして、ここまでは、装飾シールや装飾板等の装飾体で隠されたネジを識別させる形態を説明しているが、ネジ頭部が外部に現われていても、それが部品同士の単なる組立て用ネジか、パチンコ機側と着脱する取付用ネジか不明な場合があるため、このような場合も上記表記を行えば有効である。即ち、装飾部材に取付用ネジが露出している場合も、他のネジと区別するために矢印等の表記をおこなえば、解体時は表記の付されたネジのみ取り外せば良く、作業効率が向上するのである。
【００１２】
勿論本発明は、装飾部材に限らず、パチンコ機にネジで止着される構成部であれば、表示装置８や入賞装置９等の遊技具や、上皿３や下皿４、発射ハンドル５等において適用しても差し支えない。
【００１３】
【発明の効果】
請求項１に記載の発明によれば、構成部の表面に貼着され、装飾画が描かれた装飾シールに、ネジの位置を特定する矢印、丸印、星印、花印等の図形を表記し、ドライバー等の先端で図形の表記に従って装飾シールを突き破ることによりネジを緩めて構成部を取り外し可能としたことで、当該構成部を止着するネジの位置が容易に識別できるため、解体等の際に当該構成部を簡単に取り外すことが可能となる。よって、解体等に伴う取り外し作業が短時間で楽に行え、リサイクルや廃棄に伴う分別等に迅速に対処できる。
【図面の簡単な説明】
【図１】パチンコ機の正面図である。
【図２】表示装置の装飾部材の組立説明図である。
【図３】表示装置の装飾部材の正面図である。
【図４】装飾シールを貼着した前面枠装飾部材の組立説明図である。
【図５】装飾板を貼着した前面枠装飾部材の組立説明図である。
【図６】装飾板を貼着した前面枠装飾部材の断面説明図である。
【符号の説明】
１・・パチンコ機、２・・遊技領域、６・・前面枠、７・・前面枠装飾部材、８・・表示装置、１０・・装飾部材、１４・・上部装飾部材、１５・・下部装飾部材、１６，２０・・取付タブ、１７，２１・・ネジ、１８，２２・・装飾シール、１９・・矢印、２３，２７・・三角印、２４・・装飾板。
【図１】
0003705464.tif 000002
【図２】
0003705464.tif 000003
【図３】
0003705464.tif 000004
【図４】
0003705464.tif 000005
【図５】
0003705464.tif 000006
【図６】
0003705464.tif 000007